(57)【特許請求の範囲】
【請求項１】
充電可能なバッテリ電源により動作可能な印刷装置であって、
前記バッテリ電源を収納するバッテリ収納部と、
被印刷用紙に対し所望の印刷を行うサーマルヘッドと、
前記被印刷用紙を搬送する搬送手段を駆動する駆動モータと、
印刷装置の全体の制御を行ためのプログラムを予め記憶した記憶部と、
前記記憶部に記憶したプログラムに従って信号処理を行う演算部と、
外部電源と接続可能な電源接続部と、
前記電源接続部に接続された前記外部電源により前記バッテリ電源に対する充電処理を行う充電手段と、
前記バッテリ電源の出力電圧値を検出する電圧検出手段と、
前記バッテリ電源から前記演算部及び前記記憶部への通電を行うとともに、前記駆動モータ及び前記サーマルヘッドには通電を行わない第１負荷電流値によって放電処理を行う一次放電手段と、
前記バッテリ電源から前記第１負荷電流値よりも大きな第２負荷電流値によって放電処理を行う二次放電手段と、
前記バッテリ電源に対してリフレッシュのための放電処理を行うリフレッシュ開始操作がなされて前記一次放電手段による放電処理を開始するとともに、その実行時に前記電圧検出手段により検出された電圧降下が、所定のしきい値以上である場合には前記バッテリ電源が不活性化バッテリであると判定し、かつ、所定のしきい値未満である場合には前記バッテリ電源が不活性化バッテリでないと判定する判定手段と、
を有し、
前記判定手段により前記バッテリ電源が不活性化バッテリであると判定された場合に、前記充電手段による充電処理を実行し、
前記二次放電手段は、前記判定手段により前記バッテリ電源が不活性化バッテリでないと判定された場合に、前記バッテリ電源から少なくとも前記演算部、前記記憶部、前記駆動モータ、及び前記サーマルヘッドへの通電を行う前記第２負荷電流値で放電を行う
ことを特徴とする印刷装置。
【請求項２】
請求項１記載の印刷装置において、
前記充電手段は、
前記判定手段により前記バッテリ電源が不活性化バッテリであると判定された場合には、前記電源接続部に接続された前記外部電源による前記バッテリ電源に対する充電処理をそのまま実行し、
前記判定手段により前記バッテリ電源が不活性化バッテリでないと判定された場合には、前記二次放電手段による放電処理が完了した後に、前記電源接続部に接続された前記外部電源による前記バッテリ電源に対する充電処理を行う
ことを特徴とする印刷装置。
【発明の詳細な説明】
【技術分野】
【０００１】
本発明は、充電可能なバッテリ電源により動作可能な印刷装置に関する。
【背景技術】
【０００２】
一般に、充電可能なバッテリ電源を用いて動作する電子機器は、電子機器の使用につれてバッテリ電源の電圧が下がってくる。このような場合、当該電子機器に対して外部電源を接続し、バッテリ電源に対して再度充電を行って起電力を付与する。これにより、再び当該バッテリ電源により、電子機器を動作させることができる。この充電の際に、従来、まずバッテリ電源内をリフレッシュするための放電処理を行い、その放電処理が完了した後に、充電を行う手法が既に提唱されている（例えば、特許文献１参照）。
【先行技術文献】
【特許文献】
【０００３】
【特許文献１】特開２００２−１７０４９号公報
【発明の概要】
【発明が解決しようとする課題】
【０００４】
しかしながら、上記従来技術には以下の課題が存在する。
【０００５】
バッテリ電源の放電及び充電を繰り返して経年劣化が進んでくると、当該バッテリ電源の内部抵抗が次第に大きくなり、いわゆる不活性化バッテリとなる場合がある。上記従来技術のようにしてバッテリ電源に対してリフレッシュのための放電を行う場合に、当該バッテリ電源が上記不活性化バッテリであった場合には、放電時の電圧降下が大きくなる。このため、大電流を一気に放電させると電子機器全体が動作できない状態まで電圧値が降下し、電子機器が動作不能となる。この場合、バッテリ電源に対するリフレッシュ放電が全く行えず、結果として当該バッテリ電源へ充電し起電力を付与することもできなくなるおそれがあった。
【０００６】
本発明の目的は、バッテリ電源が不活性化バッテリとなっていた場合であっても、充電により起電力を付与し、電源として使用可能とする印刷装置を提供することにある。
【課題を解決するための手段】
【０００７】
上記目的を達成するために、第１の発明は、充電可能なバッテリ電源により動作可能な印刷装置であって、前記バッテリ電源を収納するバッテリ収納部と、被印刷用紙に対し所望の印刷を行うサーマルヘッドと、前記被印刷用紙を搬送する搬送手段を駆動する駆動モータと、印刷装置の全体の制御を行ためのプログラムを予め記憶した記憶部と、前記記憶部に記憶したプログラムに従って信号処理を行う演算部と、外部電源と接続可能な電源接続部と、前記電源接続部に接続された前記外部電源により前記バッテリ電源に対する充電処理を行う充電手段と、前記バッテリ電源の出力電圧値を検出する電圧検出手段と、前記バッテリ電源から前記演算部及び前記記憶部への通電を行うとともに、前記駆動モータ及び前記サーマルヘッドには通電を行わない第１負荷電流値によって放電処理を行う一次放電手段と、前記バッテリ電源から前記第１負荷電流値よりも大きな第２負荷電流値によって放電処理を行う二次放電手段と、前記バッテリ電源に対してリフレッシュのための放電処理を行うリフレッシュ開始操作がなされて前記一次放電手段による放電処理を開始するとともに、その実行時に前記電圧検出手段により検出された電圧降下が、所定のしきい値以上である場合には前記バッテリ電源が不活性化バッテリであると判定し、かつ、所定のしきい値未満である場合には前記バッテリ電源が不活性化バッテリでないと判定する判定手段と、を有し、前記判定手段により前記バッテリ電源が不活性化バッテリであると判定された場合に、前記充電手段による充電処理を実行し、前記二次放電手段は、前記判定手段により前記バッテリ電源が不活性化バッテリでないと判定された場合に、前記バッテリ電源から少なくとも前記演算部、前記記憶部、前記駆動モータ、及び前記サーマルヘッドへの通電を行う前記第２負荷電流値で放電を行うことを特徴とする。
【０００８】
充電可能なバッテリ電源に対してリフレッシュのための放電を行う場合に、当該バッテリ電源が内部抵抗が大きくなった不活性化バッテリであると、放電時の電圧降下が大きくなる。このため、大電流を一気に放電させると印刷装置全体が動作できない状態まで電圧値が降下し、印刷装置が動作不能となる。このため、バッテリ電源に対するリフレッシュ放電が全く行えず、結果として当該バッテリ電源へ充電し起電力を付与することもできなくなる。
【０００９】
本願第１発明においては、一次放電手段がまず第１負荷電流値によって放電処理を行い、その結果に応じて、判定手段がバッテリ電源が不活性化バッテリであるかどうかの判定を行う。これにより、例えば不活性化バッテリであると判定された場合には、それ以降の放電処理を続行することがなくなるので、電圧値が下がりすぎて印刷装置が動作不能となることを防ぐことができる。この結果、バッテリ電源が不活性化バッテリとなっていても、充電により起電力を付与し、その後、印刷装置を動作させるために用いることができる。
【００１１】
さらに、本願第１発明においては、不活性化バッテリでは内部抵抗が大きく放電時に電圧降下が大きくなるという特性を利用し、判定手段が、一次放電時における電圧降下が大きいかどうかによって不活性化バッテリであるかどうかの判定を行う。そして、バッテリ電源が不活性化バッテリであると判定された場合に、バッテリ電源に対する充電処理を行う。これにより、不活性化バッテリを精度よく検出し、充電により起電力を確実に付与することができる。
【００１３】
また、不活性化バッテリではないとわかったときには、二次放電手段が、第１負荷電流値よりも大きな第２負荷電流値によって引き続き放電処理を行う。これにより、バッテリ電源を十分にリフレッシュ放電させることができる。
【００１５】
また、一次放電手段は、演算部及び記憶部へ通電するとともに駆動モータ及びサーマルヘッドへの通電は行わないことにより第１負荷電流値による放電処理を行い、その結果に応じて、二次放電手段は、演算部、記憶部、駆動モータ及びサーマルヘッドへ通電することにより第２負荷電流値による放電処理を行う。これにより、新たな放電回路を特別に設けることなく、既存の回路に対する通電によりバッテリ電源を十分にリフレッシュ放電させることができる。
【００１６】
第２発明は、上記第１発明において、前記充電手段は、前記判定手段により前記バッテリ電源が不活性化バッテリであると判定された場合には、前記電源接続部に接続された前記外部電源による前記バッテリ電源に対する充電処理をそのまま実行し、前記判定手段により前記バッテリ電源が不活性化バッテリでないと判定された場合には、前記二次放電手段による放電処理が完了した後に、前記電源接続部に接続された前記外部電源による前記バッテリ電源に対する充電処理を行うことを特徴とする。
【００１７】
これにより、リフレッシュ放電したバッテリ電源に対して起電力を付与し、その後、印刷装置を動作させるために用いることができる。
【発明の効果】
【００２０】
本発明によれば、バッテリ電源が不活性化バッテリとなっていた場合であっても、充電により起電力を付与し、電源として使用可能とすることができる。
【図面の簡単な説明】
【００２１】
【図１】本発明の一実施の形態である携帯型プリンタの外観構成を表す斜視図である。
【図２】携帯型プリンタの内部構造を表す、前方側斜め上方向から見た分解斜視図である。
【図３】携帯型プリンタの内部構造を表す図１中ＩＩＩ−ＩＩＩ断面による側断面図である。
【図４】携帯型プリンタの制御系を表す機能ブロック図である。
【図５】ＣＰＵにより実行される制御内容を表すフローチャートである。
【図６】一次リフレッシュ及び二次リフレッシュの内容を説明する説明図である。
【発明を実施するための形態】
【００２２】
以下、本発明の一実施の形態を図面を参照しつつ説明する。本発明は、電子機器の一例として、充電式のバッテリ電源Ｖ（後述）によって駆動可能な印刷装置である携帯型プリンタに対し、本発明を適用した場合の実施形態である。
【００２３】
図１〜図３を用いて、本実施形態の携帯型プリンタ１の外観構成及び内部構造について説明する。以下では、図１中左下方向を前方、右上方向を後方、左上方向を左方、右下方向を右方として説明する。また、以下の説明において各部品について前後左右上下の各方向をいうときは、当該各部品が携帯型プリンタ１に取り付けられた状態での各方向に対応させて説明する。
【００２４】
図１〜図３において、携帯型プリンタ１は、例えばＰＣ端末や携帯電話等の外部機器２（後述の図４参照）より有線通信あるいは無線通信を介して受信した印刷データを種々の被印刷用紙（図示せず）に印刷する。この携帯型プリンタ１は、樹脂材料で構成された、装置外郭を構成する略直方体形状ハウジング１００と、シャーシ組立体５０とを組み付けることによって、概略組み立てられる。
【００２５】
ハウジング１００は、装置外郭上部を構成するトップカバー１０１と、装置外郭下部を構成するアンダーカバー１０２と、トップカバー１０１の上面前方側に開閉可能に設けられたカバー部材１０３とを備えている。
【００２６】
ハウジング１００内には、搬送手段を構成するプラテンローラ１１１と、サーマルヘッドの一種であるサーマルラインヘッド１１２とが設けられている。サーマルラインヘッド１１２は、後方側端部に軸部材１１３を備えた放熱板１１４上に設けられており、この放熱板１１４は上記サイドシャーシ部材１３０Ｌ，１３０Ｒにより軸部材１１３を中心に回動可能に支持されている。また、アンダーカバー１０２の内表面に設けられたメインシャーシ部材１５０には、上記サーマルラインヘッド１１２を支持する放熱板１１４をプラテンローラ１１１側に回動付勢する複数のコイルバネ１１５が設けられている。これにより、サーマルラインヘッド１１２は上記プラテンローラ１１１に圧接可能となっている。
【００２７】
ハウジング１００の後方側には、例えば略棒状の充電式のバッテリ電源Ｖを収容するバッテリ収納室１０５（バッテリ収納部）が設けられており、このバッテリ収納室１０５にはバッテリ室カバー１７０が着脱可能に設けられている。当該バッテリ室カバー１７０を取り外した状態では、上記バッテリ収納室１０５がハウジング１００の背面部分に開口する。
【００２８】
シャーシ組立体５０は、アンダーカバー１０２の内表面に設けられた、シャーシ組立体５０の底部を構成するメインシャーシ部材１５０と、このメインシャーシ部材１５０の長手方向両側端部より立設される一対の上記サイドシャーシ部材１３０Ｌ，１３０Ｒとを備えている。サイドシャーシ部材１３０Ｌ，１３０Ｒは、軸孔１３１にプラテンローラ１１１の軸部材１１１ａを挿通することにより、プラテンローラ１１１を回転可能に支持している。プラテンローラ１１１は、駆動モータ１１により回転駆動されることで被印刷用紙を搬送する。またサイドシャーシ部材１３０Ｌ，１３０Ｒは、サーマルラインヘッド１１２を備えた放熱板１１４を、前述した軸部材１１３を介して回動可能に支持している。
【００２９】
左側のサイドシャーシ部材１３０Ｌには、プラテンローラ１１１を駆動する上記駆動モータ１１と、この駆動モータ１１の駆動力をプラテンローラ１１１の上記軸部材１１１ａに伝達する、複数のギアからなるギア機構１３２が設けられている。
【００３０】
また、サイドシャーシ部材１３０Ｌ，１３０Ｒの上部には、ビーム部材１４０が架け渡され、ネジにより固定されている。そして、挿入口１０４から挿入された被印刷用紙をプラテンローラ１１１とサーマルラインヘッド１１２との圧接部Ｐに案内する前述のガイド部材１２０が、ハウジング１００を構成するトップカバー１０１、アンダーカバー１０２、及びカバー部材１０３とは分離された別体として構成されており、上記ビーム部材１４０に固定されることによって、サイドシャーシ部材１３０Ｌ，１３０Ｒに設けられている。
【００３１】
上記構成において、印刷時には、カバー部材１０３を閉じた状態で、トップカバー１０１とカバー部材１０３との間に形成された挿入口１０４に上記被印刷用紙が挿入される。挿入された被印刷用紙は、挿入口１０４の下方に設けられたガイド部材１２０により、プラテンローラ１１１とサーマルラインヘッド１１２との圧接部Ｐ（後述の図３参照）に案内される。プラテンローラ１１１は所定の圧接力で被印刷用紙に接触し、被印刷用紙を搬送する。この搬送される被印刷用紙に対し、サーマルラインヘッド１１２が所望の印刷を行う。印刷完了後にカバー部材１０３とアンダーカバー１０２との間に形成された排出口１０７より排出される。なお、紙詰まり等が生じた場合には、カバー部材１０３を開放することで、サーマルラインヘッド１１２からプラテンローラ１１１がリリースされ、容易に用紙を引き出すことが可能となる。
【００３２】
次に、図４を用いて、携帯型プリンタ１の制御系について説明する。
【００３３】
図４において、携帯型プリンタ１は、所定の演算を行う演算部を構成するＣＰＵ１２を有している。
【００３４】
ＣＰＵ１２は、ＳＤＲＡＭ１３の一時記憶機能を利用しつつＲＯＭ１４に予め記憶されたプログラムに従って信号処理を行い、それによって携帯型プリンタ１全体の制御を行う。なお、これらＳＤＲＡＭ１３およびＲＯＭ１４は、各請求項記載の記憶部を構成する。
【００３５】
またＣＰＵ１２は、携帯型プリンタ１の電源のオン・オフ処理を行う電源回路１５と、プラテンローラ１１１を駆動する上記駆動モータ１１の駆動制御を行うモータ駆動回路１６と、サーマルラインヘッド１１２の駆動制御を行うサーマルヘッド制御回路１７とに接続されている。これら駆動モータ１１と、サーマルラインヘッド１１２とは、各請求項記載の駆動部を構成する。
【００３６】
またＣＰＵ１２は、用紙検出センサ１８と、用紙送り操作を行うためのフィードキー４０（図１及び図２も参照）と、電源のオン・オフ操作を行うための電源キー３０（図１及び図２も参照）とに接続されている。ＣＰＵ１２は、用紙検出センサ１８の検出結果に基づき、挿入口１０４に被印刷用紙が挿入されているか否かを検出する。
【００３７】
またＣＰＵ１２は、電源キー３０又はフィードキー４０が押し下げられた場合に、当該押し下げられたキーに対応した処理を実行する。フィードキー４０が押し下げられると、ＣＰＵ１２は、上記モータ駆動回路１６に制御信号を出力し、駆動モータ１１を駆動させてプラテンローラ１１１を回転させ、被印刷用紙を所定量搬送するフィード処理を行う。このフィードキー４０は、例えば被印刷用紙の搬送方向途中位置から印刷を開始するために用紙送りをする場合や、搬送方向長さが所定の長さよりも長い被印刷用紙を用いた場合において印刷終了後に用紙を排出するような場合に、操作される。一方、携帯型プリンタ１の電源オフ状態で電源キー３０が押し下げられると、ＣＰＵ１２は、電源回路１５に制御信号を出力して電源のオン処理を行い、電源オン状態で電源キー３０が押し下げられると、電源回路１５に制御信号を出力して電源のオフ処理を行う。
【００３８】
またＣＰＵ１２は、ＵＳＢインターフェース駆動回路２１と、無線通信部２２と、赤外線通信部２３とに接続されている。ＵＳＢインターフェース駆動回路２１は、ＵＳＢ端子２４（図１も参照）に接続されたＵＳＢケーブル（図示省略）を介して上記外部機器２との間で行われる通信の制御を行う。また無線通信部２２は、上記外部機器２との間で行われる赤外線以外の電波による無線通信の制御を行う。また赤外線通信部２３は、上記外部機器２との間で行われる赤外線通信の制御を行う。
【００３９】
なお、ＣＰＵ１２内に設けたＡ／Ｄ入力回路１９、ＡＣアダプタ２０、及び充電回路１０については、後述する。
【００４０】
上記構成の制御系において、携帯型プリンタ１で印刷を行う際には、操作者（ユーザ）は、ＰＣ端末や携帯電話等の外部機器２を用いて被印刷用紙に印刷する印刷データの入力を行うとともに、印刷開始指示入力を行う。これにより、外部機器２から携帯型プリンタ１に、上記ＵＳＢケーブル、又は、無線通信若しくは赤外線通信を介して、印刷データが送信され、携帯型プリンタ１において印刷データに基づいた印刷が行われる。
【００４１】
以上の基本構成及び動作において、本実施形態の携帯型プリンタ１の最大の特徴は、バッテリ電源Ｖに対する放電処理及び充電処理の内容にある。この処理に関連して、ＣＰＵ１２には、バッテリ電源Ｖの出力電圧値を測定（検出）するための電圧検出手段としてのＡ／Ｄ入力回路１９が設けられている。このＡ／Ｄ入力回路１９には、バッテリ電源Ｖが接続されている。
【００４２】
バッテリ電源Ｖは、積層形のニッケル水素電池パック（公称電圧１４．４Ｖ、公称容量３６０ｍＡｈ）であり、バッテリ電源Ｖに対する充電処理（急速充電）を行うための充電回路１０に接続されている。バッテリ電源Ｖはまた、上記モータ駆動回路１６及びサーマルヘッド制御回路１７と、電源回路１５とに接続され、それぞれに対して電圧を供給可能となっている。また、充電回路１０及び電源回路１５は電源接続部としてのＡＣアダプタ２０によって外部電源と接続可能となっている。
【００４３】
上記構成によりＣＰＵ１２より実行される本実施形態の放電処理及び充電処理の詳細を、図５を用いて説明する。図５において、ＡＣアダプタ２０を外部電源に接続した状態で、携帯型プリンタ１に備えられた適宜の操作手段を操作して（例えば上記キー３０，４０を長押しして）所定のリフレッシュ操作を行うと、このフローが開始される。
【００４４】
まず、ステップＳ１０において、Ａ／Ｄ入力回路１９により、バッテリ電源Ｖの出力電圧値が測定（検出）される。つまりこの手順では、放電処理開始前のバッテリ電源の電圧値が検出される。
【００４５】
そして、ステップＳ２０に移り、ＣＰＵ１２の制御に基づき、バッテリ電源ＶからＣＰＵ１２、ＳＤＲＡＭ１３、ＲＯＭ１４等を含む上記演算部・記憶部への通電が行われる。この際は、後述のような駆動モータ１１及びサーマルラインヘッド１１２等への通電は行われない。この通電によって、図６（ａ）に示すように、例えば１００ｍＡ程度の電流値（各請求項記載の第１負荷電流値に相当）による放電処理（一次リフレッシュ）が行われる。なお、この手順が、各請求項記載の一次放電手段として機能する。
【００４６】
その後、ステップＳ３０において、上記ステップＳ１０と同様、Ａ／Ｄ入力回路１９により、バッテリ電源Ｖの出力電圧値が検出される。つまりこの手順では、上記ステップＳ２０における一次リフレッシュ終了後のバッテリ電源Ｖの電圧値が検出される。
【００４７】
そして、ステップＳ４０に移り、ステップＳ１０で検出された電圧値とステップＳ３０で検出された電圧値との差、すなわち電圧降下が、所定のしきい値以上（この例では１Ｖ以上）となっているかどうかを判定する。なお、この手順が、各請求項記載の判定手段として機能する。
【００４８】
電圧降下が１Ｖ以上である場合はステップＳ４０の判定が満たされ、バッテリ電源Ｖは内部抵抗が大きくなった不活性バッテリであるとみなされて、ステップＳ７０に移る。
【００４９】
ステップＳ７０では、ＣＰＵ１２の制御に基づき、ＡＣアダプタ２０に接続された外部電源から、ＡＣアダプタ２０及び充電回路１０を介し、バッテリ電源Ｖに対する充電処理（急速充電）が行われる。その後、このフローを終了する。
【００５０】
一方、ステップＳ４０において、ステップＳ１０で検出された電圧値とステップＳ３０で検出された電圧値との差から求めた電圧降下が、所定のしきい値未満（この例では１Ｖ未満）となっていた場合には、ステップＳ４０の判定が満たされない。この場合は、バッテリ電源Ｖは不活性バッテリではないとみなされて、ステップＳ５０に移る。
【００５１】
ステップＳ５０では、ＣＰＵ１２の制御に基づき、バッテリ電源Ｖから、ＣＰＵ１２、ＳＤＲＡＭ１３、ＲＯＭ１４等を含む上記演算部・記憶部と、駆動モータ１１及びサーマルラインヘッド１１２等に対し、通電が行われる。なお、駆動モータ１１には上記モータ駆動回路１６を介して通電が行われ、サーマルラインヘッド１１２には上記サーマルヘッド制御回路１７を介して通電が行われる。この通電によって、図６（ｂ）に示すように、上記ステップＳ２０よりも大きな、例えば２５０ｍＡ程度の電流値（各請求項記載の第２負荷電流値に相当）による放電処理（二次リフレッシュ）が行われる。なお、この手順が、各請求項記載の二次放電手段として機能する。
【００５２】
その後、ステップＳ６０に移り、上記ステップＳ７０と同様、ＣＰＵ１２の制御に基づき、ＡＣアダプタ２０に接続された外部電源から、ＡＣアダプタ２０及び充電回路１０を介し、バッテリ電源Ｖに対する充電処理（急速充電）が行われる。なお、このステップＳ６０及び上記ステップＳ７０が、各請求項記載の充電手段として機能する。ステップＳ６０が完了したらこのフローを終了する。
【００５３】
以上のように構成した本実施形態の携帯型プリンタ１によれば、以下の効果を得る。
【００５４】
すなわち、通常、充電可能なバッテリ電源Ｖに対してリフレッシュのための放電を行う場合に、当該バッテリ電源Ｖが内部抵抗が大きくなった不活性化バッテリであると、放電時の電圧降下が大きくなる。このように大電流を一気に放電させると、そのままでは携帯型プリンタ１全体が動作できない状態まで電圧値が降下し、携帯型プリンタ１が動作不能となる。この結果、バッテリ電源Ｖに対するリフレッシュ放電が全く行えず、当該バッテリ電源Ｖへ充電し起電力を付与することもできなくなる。
【００５５】
そこで本実施形態においては、上述したようにステップＳ２０においてまずＣＰＵ１２、ＲＯＭ１４、及びＳＤＲＡＭ１３等への放電処理を行い、その結果に応じて、ステップＳ４０でバッテリ電源Ｖが不活性化バッテリであるかどうかの判定を行う。
【００５６】
その際、不活性化バッテリでは内部抵抗が大きく放電時に電圧降下が大きくなるという特性を利用し、ステップＳ４０において、一次放電時における電圧降下が所定値以上であるかどうかによってバッテリ電源Ｖが不活性化バッテリであるかどうかの判定を行う。これにより、不活性化バッテリを精度よく検出することができる。そして、不活性化バッテリであると判定された場合には、それ以降の放電処理を続行することなく、ステップＳ７０でバッテリ電源Ｖへの充電処理を行う。これにより、バッテリ電源Ｖが不活性化バッテリとなっていても、充電により起電力を付与し、その後、携帯型プリンタ１を動作させるために用いることができる。
【００５７】
また、本実施形態では特に、ステップＳ４０において不活性化バッテリではないとわかったときには、ステップＳ５０で、ＣＰＵ１２、ＲＯＭ１４、及びＳＤＲＡＭ１３等に加え、駆動モータ１１やサーマルラインヘッド１１２等も含めて、引き続き放電処理を行う。これにより、バッテリ電源Ｖを十分にリフレッシュ放電させることができる。また、このような放電態様とすることで、新たな放電回路を特別に設けることなく、既存の回路に対する通電により、バッテリ電源Ｖを十分にリフレッシュさせることができる。
【００５８】
また、本実施形態では特に、ステップＳ６０で、ステップＳ５０での放電処理が完了した後、ＡＣアダプタ２０に接続された外部電源により、バッテリ電源Ｖに対する充電処理(＝いわゆる急速充電)を行う。これにより、リフレッシュ放電したバッテリ電源Ｖに対して起電力を付与し、その後、携帯型プリンタ１を動作させるために用いることができる。
【００５９】
なお、以上において、図４に示す矢印は信号の流れの一例を示すものであり、信号の流れ方向を限定するものではない。
【００６０】
また、図５に示すフローチャートは本発明を上記フローに示す手順に限定するものではなく、発明の趣旨及び技術的思想を逸脱しない範囲内で手順の追加・削除又は順番の変更等をしてもよい。
【００６１】
なお、上記は、電子機器として、印刷装置である携帯型プリンタ１に本発明を適用したが、これに限られない。すなわち、充電可能なバッテリ電源を備え、当該バッテリ電源に対して放電処理と充電処理とを行う電子機器であれば他のものに対しても本発明は適用でき、この場合も同様の効果を得る。
【００６２】
また、以上既に述べた以外にも、上記実施形態や各変形例による手法を適宜組み合わせて利用しても良い。
【００６３】
その他、一々例示はしないが、本発明は、その趣旨を逸脱しない範囲内において、種々の変更が加えられて実施されるものである。
【符号の説明】
【００６４】
１              携帯型プリンタ（印刷装置、電子機器）
１１            駆動モータ（駆動部）
１２            ＣＰＵ（演算部）
１３            ＳＤＲＡＭ（記憶部）
１４            ＲＯＭ（記憶部）
１９            Ａ／Ｄ入力回路（電圧検出手段）
２０            ＡＣアダプタ（電源接続部）
１０５          バッテリ収納室（バッテリ収納部）
１１１          プラテンローラ（搬送手段）
１１２          サーマルラインヘッド（駆動部）
Ｖ              バッテリ電源
【図１】
0005733491.tif 000002
【図２】
0005733491.tif 000003
【図３】
0005733491.tif 000004
【図４】
0005733491.tif 000005
【図５】
0005733491.tif 000006
【図６】
0005733491.tif 000007